(57)【要約】      （修正有）【課題】携帯用丸鋸の切粉の流れを上方への切粉飛散を抑制することにより携帯用丸鋸本体の上方付近での浮遊を少なくし、作業性を向上する携帯用丸鋸を提供する。【解決手段】切粉排出口４ａに、切粉フロ−ガイド６を設けることにより達成される。また、切粉フローガイド６をダストカバー４に収納可能に設ける。【選択図】図１
2008001033.tif 000002
【特許請求の範囲】
【請求項１】
モータと、
該モータにより回転駆動される鋸刃と、
該鋸刃を覆うソーカバー部と、
切断時に被切削材上を摺動するベースとを備え、
前記ソーカバー部の一部であって前記鋸刃の反モータ側に位置する箇所に切断時に発生した切粉を前記ソーカバー部内から外部に排出する切粉排出口を設けた構成をした携帯用丸鋸であって、
前記ソーカバー部の前記鋸刃の反モータ側に位置する箇所に、反モータ側に突出し前記鋸刃の回転軸との間に前記切粉排出口が位置するよう配設される突出部を設けたことを特徴とする携帯用丸鋸。
【請求項２】
前記突出部は前記ソーカバー部に移動可能に支持されることを特徴とする請求項１記載の携帯用丸鋸。
【請求項３】
前記ソーカバー部は着脱可能なダストカバーを有し、前記ダストカバーは前記切粉排出口及び前記突出部を有する事を特徴とする請求項２記載の携帯用丸鋸。
【発明の詳細な説明】
【技術分野】
【０００１】
本発明は、切粉の排出方向及び切粉排出口の構造を工夫した携帯用丸鋸に関するものである。
【背景技術】
【０００２】
従来の携帯用丸鋸では、切断の際に発生する切粉の流れをソーカバー部の内部を通して、切粉を切粉排出口から排出する構成が開示されている。（例えば、特許文献１。）
【特許文献１】実開平４−７９６０１号
【発明の開示】
【発明が解決しようとする課題】
【０００３】
従来の構造においては、ソーカバー部に設けられた切粉排出口から排出された瞬間に、切粉は勢いを失い様々な方向に散乱し、切粉の一部は携帯用丸鋸本体の上方付近で漂っていた。上記のような携帯用丸鋸本体の上方付近での切粉の浮遊は、切断作業の邪魔となり作業性を低下させていた。
【０００４】
本発明の目的は、携帯用丸鋸本体の上方付近への切粉の飛散を抑制し、作業性の良い携帯用丸鋸を提供することである。
【０００５】
また、集塵機接続用アダプタの取り付けに影響をおよぼさない携帯用丸鋸を提供することである。
【０００６】
また、ソーカバー部にダストカバーを有する場合には、携帯用丸鋸本体の上方付近への切粉の飛散を抑制し、作業性の良い携帯用丸鋸を提供することである。
【課題を解決するための手段】
【０００７】
上記目的は、ソーカバー部の鋸刃の反モータ側に位置する箇所に反モータ側に突出し、鋸刃の回転軸との間に切粉排出口が位置するように配設される突出部を設けることにより達成される。
【０００８】
また、ソーカバー部の鋸刃の反モータ側に位置する箇所に反モータ側に突出し、鋸刃の回転軸との間に切粉排出口が位置するように配設される突出部はソーカバー部に移動可能に支持されることにより達成される。
【０００９】
また、ソーカバー部はダストカバーを有し、ダストカバーが切粉排出口及び突出部を有し、ソーカバー部の鋸刃の反モータ側に位置する箇所に反モータ側に突出し、鋸刃の回転軸との間に切粉排出口が位置するように配設される突出部はソーカバー部に移動可能に支持されることにより達成される。
【発明の効果】
【００１０】
本発明によれば、ソーカバー部の鋸刃の反モータ側に位置する箇所に反モータ側に突出し、鋸刃の回転軸との間に切粉排出口が位置するように配設される突出部を設けることにより、切粉の上方への切粉飛散が抑制できるされるため、携帯用丸鋸本体の上方付近への切粉の飛散を抑制することができる。
【００１１】
また、ソーカバー部の鋸刃の反モータ側に位置する箇所に反モータ側に突出し、鋸刃の回転軸との間に切粉排出口が位置するように配設される突出部をソーカバー部に移動可能に支持されており、突出部を移動させることにより切粉排出口付近は平面部となる構成であるため、集塵機を用いる場合においては、集塵機と接続可能とする従来の集塵機接続用アダプタの取り付けに影響をおよぼさないようにすることができる。
【発明を実施するための最良の形態】
【００１２】
以下、一実施形態を参照して本発明を説明する。
【００１３】
図１、図２及び図３は、本発明となる携帯用丸鋸の一実施形態であり、図１は携帯用丸鋸の正面図、図２は切粉排出口の断面図、図３は携帯用丸鋸の断面図である。
【００１４】
図３に示されるように、本発明携帯用丸鋸はモータ５により回転軸Ａにより動力を伝達され、回転駆動される鋸刃２を有している。また、刃２を覆う、ソーカバー１とソーカバーに着脱可能に設けられるダストカバー４とにより構成されるソーカバー部を有している。また、切断時に被切断材上を摺動するベースを有している。また、
図１において、本発明携帯用丸鋸はソーカバー１の内壁は、鋸刃２及び安全カバー３等に対してある程度の空間を持つように形成されており、ソーカバー１には被削材の切粉が通り抜け、切粉を後方へまとめて排出できるように、ダストカバー４が着脱可能に設けられている。切粉は、ダストカバー４の切粉挿入口８から入り、切粉の流れに乗って、切粉排出口４ａより排出される。ダストカバー４の鋸刃２の反モータ側に位置する箇所に反モータ側に突出し、鋸刃２の回転軸Ａとの間に切粉排出口４ａが位置するように突出部６が配設されており、突出部６はダストカバー４に収納可能に支持される構造となっている。
【００１５】
切粉排出口４ａ付近の位置には、ネジ穴４ｂが設けられており、ネジ穴４ｂに係合するネジを介して切粉排出口４ａを覆う形状をした集塵機接続用アダプタが着脱可能となっている。
【００１６】
図２において、反モータ側に突出し鋸刃２の回転軸Ａとの間に切粉排出口４が位置するよう配設される突出部６は破線で図示したように切粉排出口４ａから引出し使用する。突出部６の引き出し時には、切粉の流れは、切粉排出口４ａからまとまって排出され、突出部６により切粉の上方への切粉飛散が抑制できる。
【００１７】
また、実線部で図示したように、突出部６をダストカバー４から突出し得ない位置に収納し、切粉排出口４ａ付近を平面部になるため、集塵機接続用アダプタの取り付けに影響をおよぼすことがない。
【００１８】
切粉の流れが突出部６により切粉の上方への切粉飛散が抑制されるために、携帯用丸鋸本体の上方付近での浮遊が少なくなり、作業の快適性を増すことができるようになっている。
【００１９】
なお、上記実施形態では、本発明ソーカバー部はソーカバー１とソーカバー1に着脱可能なダストカバー４とを有し、ダストカバー４に切粉排出口４ａ及び突出部材６を設けた構成としたが、ダストカバー４を有さない構成、すなわちソーカバー１の鋸刃２の反モータ側に位置する箇所に反モータ側に突出し、鋸刃２の回転軸Ａとの間に切粉排出口４ａが位置するように配設される突出部６を設けた構成であっても良く、この構成も上記実施形態と同様に、突出部６により切粉の流れは突出部６により切粉の上方への切粉飛散が抑制されるために、携帯用丸鋸本体の上方での浮遊が少なくなるという作用効果を奏し得るものである。
【００２０】
また、突出部６を切粉排出口４ａに収納可能に設けたが、切粉の流れを突出部６により切粉の上方への切粉飛散が抑制するような構成であれば外部にでなくとも良い。
【図面の簡単な説明】
【００２１】
【図１】本発明の一実施形態を示す携帯用丸鋸の正面図である。
【図２】本発明の一実施形態を示す携帯用丸鋸の切粉排出口の断面図である。
【図３】本発明の一実施形態を示す携帯用丸鋸の断面図である。
【符号の説明】
【００２２】
１はソーカバー、２は鋸刃、３は安全カバー、４はダストカバー、４ａは切粉排出口、４ｂはネジ穴、５はモータ、６は突出部、７はベース、８は切粉挿入口、Ａは回転である。
【図１】
2008001033.tif 000003
【図２】
2008001033.tif 000004
【図３】
2008001033.tif 000005